【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
物品又は製品を搬送するためのコンベヤベルトの一部分を形成するために隣接するリンク又はリンクセクションと結合して用いるためのモジュラーリンクセクションであって、  側方に反復して設けられた複数のリンク形部分を含む一体の本体から成り、該各リンク形部分は、被搬送物品又は製品に係合することができる、又は、それらを支持するのを助成することができる表面と、１対の脚部分と、該脚部分の間に延設された少くとも１つの第１一体コネクタと、隣接するリンクセクションの一部分をスナップ嵌め係合状態で受容することができる受容部とを有し、該スナップ嵌め係合が、コンベヤベルトの一部分を形成するために各リンク又はリンクセクションと、隣接するリンク又はリンクセクションとの容易で、かつ、堅固な組み立てを可能にすることを特徴とするモジュラーリンクセクション。
【請求項２】
物品又は製品を搬送するためのコンベヤベルトの一部分又は一セクションを形成するために隣接するリンクと結合して用いるための一体のモジュラーリンクであって、
各々被搬送物品又は製品に係合することができる、又は、それらを支持するのを助成することができる表面を有する、側方に反復して設けられた複数の尖端部分と、
該各尖端部分から突設された１対の脚部分と、
該各尖端部分の前記１対の脚部分の間に配設された少くとも１つの第１一体コネクタと、
から成り、
各尖端部分は、隣接するリンクの一部分をスナップ嵌め係合状態で受容することができる受容部を有し、該スナップ嵌め係合が、コンベヤベルトの一部分を形成するために該リンクと、隣接するリンクとの容易で、かつ、堅固な組み立てを可能にすることを特徴とする一体のモジュラーリンク。
【請求項３】
物品又は製品を搬送するためのコンベヤベルトの一部分を形成するために隣接するリンクセクションと結合して用いるための一体のモジュラーリンクセクションであって、
側方に反復して設けられた少くとも２つのリンク形部分から成り、該各リンク形部分は、被搬送物品又は製品に係合するように、又は、それらを支持するのを助成するように適合された尖端部分と、各尖端部分から突出した第１及び第２脚部分と、各リンク形部分の第１脚部分と第２脚部分の間に配設された少くとも１つの第１一体コネクタと、第１のリンク形部分の一方の脚部分と、隣接する第２のリンク形部分の一方の脚部分との間に延設された第２一体コネクタを有することを特徴とする一体のモジュラーリンクセクション。
【請求項４】
物品又は製品を搬送するための無端コンベヤベルトの一部分を形成するのに用いるためのモジュラーリンクコンベヤベルトセクションであって、
各々側方に反復して設けられた複数のリンク形部分を含む複数の一体リンクセクションから成り、該各リンク形部分は、被搬送物品又は製品に係合するための、又は、それらを支持するのを助成するための表面と、１対の脚部分と、少くとも１つの第１一体コネクタを含み、該リンクセクションのうちの第１のリンクセクションの前記各リンク形部分は、隣接する第２のリンクセクションに対して枢動しうるような態様に、該第２のリンクセクションの前記第１一体コネクタをスナップ嵌め係合状態で受容するための受容部を有し、該スナップ嵌め係合が、コンベヤベルトセクションを形成するために互いに隣接するリンクセクションの容易で、かつ、堅固な組み立てを可能にすることを特徴とするモジュラーリンクコンベヤベルトセクション。
【請求項５】
物品又は製品を搬送することができ、ノーズバーのような比較的小さい直径のガイド構造体に沿って走行する無端コンベヤベルトの一部分を形成するのに用いるためのモジュラーリンクコンベヤベルトセクションであって、
各々側方に反復して設けられた複数のリンク形部分を含む複数の一体リンクセクションから成り、該各リンク形部分は、該各リンク形部分は、被搬送物品又は製品に係合するための、又は、それらを支持するのを助成するための表面と、１対の脚部分と、一体コネクタを有し、
前記リンクセクションのうちの第１のリンクセクションの各リンク形部分は、隣接する第２のリンクセクションに対して枢動しうるような態様に、該隣接する第２のリンクセクションの一体コネクタを受容するための受容部を有し、
前記第１のリンクセクション及び第２のリンクセクションの下面は、これらのリンクセクションが所定量だけ枢動されたとき、それらのリンクセクションの下面が、前記ガイド構造体の輪郭に合致し、それによって、該ベルトセクションの該ガイド構造体の上を通り越しての円滑な走行を容易にする湾曲輪郭を呈するように、特別な輪郭の表面又は湾曲表面とされていることを特徴とするモジュラーリンクコンベヤベルトセクション。
【請求項６】
物品又は製品を搬送するためのコンベヤベルトの一部分を形成するために隣接するリンク又はリンクセクションと結合して用いるための一体モジュラーリンクセクションであって、
各々、被搬送物品又は製品に係合することができる、又は、それらを支持するのを助成することができる表面を有する側方に反復して設けられた複数のリンク形部分から成り、該各リンク形部分の高さ対各リンク形部分の幅の比は、約３．７５であり、それによって、互いに隣接するリンクセクションのスナップ嵌め係合が、コンベヤベルトの一部分を形成するために各リンクセクションと、隣接するリンク又はリンクセクションとの容易で、かつ、堅固な組み立てを可能にすることを特徴とする一体モジュラーリンクセクション。
【請求項７】
物品又は製品を搬送するためのコンベヤベルトの一部分を形成するために隣接するリンク又はリンクセクションと結合して用いるための一体モジュラーリンクセクションであって、
各々、被搬送物品又は製品に係合することができる、又は、それらを支持するのを助成することができる表面を有する側方に反復して設けられた複数のリンク形部分から成り、該各リンク形部分の高さ対各リンク形部分の幅の比は、約２．５であり、それによって、互いに隣接するリンクセクションのスナップ嵌め係合が、コンベヤベルトの一部分を形成するために各リンクセクションと、隣接するリンク又はリンクセクションとの容易で、かつ、堅固な組み立てを可能にすることを特徴とする一体モジュラーリンクセクション。
【請求項８】
物品又は製品を搬送するためのコンベヤベルトの一部分を形成するために隣接する第１及び第２のリンクと結合して用いるための一体モジュラーリンクであって、
隣接する第１のリンクをスナップ嵌め係合状態に受容するための受容部と、隣接する第２のリンクと結合するためのコネクタと、被搬送物品又は製品に係合することができる、又は、それらを支持するのを助成することができる表面とを有する少くとも１つのリンク形部分から成り、該リンク形部分の高さは、約６ｍｍ未満であり、該スナップ嵌め係合が、コンベヤベルトの一部分を形成するために各リンクセクションと、隣接するリンク又はリンクセクションとの容易で、かつ、堅固な組み立てを可能にすることを特徴とする一体モジュラーリンク。
【請求項９】
物品又は製品を搬送するためのコンベヤベルトの一部分を形成するために隣接するリンク又はリンクセクションと結合して用いるための一体モジュラーリンクセクションであって、
各々、被搬送物品又は製品に係合することができる、又は、それらを支持するのを助成することができる表面と、１対の脚部分と、該脚部分の間に延設された少くとも１つの第１一体コネクタと、隣接するリンクの一部分をスナップ嵌め係合状態で受容することができる受容部とを有する、側方に反復して設けられた複数のリンク形部分から成り、
第２一体コネクタが、互いに隣接するリンク形部分の前記脚部分の間に延在して物品支持表面の少なくとも一部分を画定し、それによって、実質的に連続した切れ目のない物品支持表面が得られることを特徴とする一体モジュラーリンクセクション。
【請求項１０】
物品又は製品を搬送することができる無端コンベヤベルトの一部分を形成するのに用いるための一体モジュラーリンクコンベヤベルトセクションであって、
各々被搬送物品又は製品に係合するための、又は、それらを支持するのを助成するための表面と、１対の脚部分と、一体コネクタを有する、側方に反復して設けられた複数のリンク形部分を有する複数のリンクセクションから成り、
該リンクセクションのうちの第１のリンクセクションの各リンク形部分は、隣接する第２のリンクセクションに対して枢動しうるような態様に、第２のリンクセクションの一体コネクタを受容するための受容部を含み、
該各リンクセクションの少くとも一部分は、高摩擦性搬送表面を有することを特徴とする一体モジュラーリンクセクション。
【請求項１１】
物品又は製品を搬送することができる無端コンベヤベルトの一部分を形成するのに用いるための一体モジュラーリンクコンベヤベルトセクションであって、
各々側方に反復して設けられた複数のリンク形部分を含む複数のリンクセクションから成り、該各リンクセクションは、被搬送物品又は製品に係合するための、又は、それらを支持するのを助成するための表面と、１対の脚部分と、少くとも１つの第１一体コネクタを有し、
前記リンクセクションのうちの第１のリンクセクションの各リンク形部分は、隣接する第２のリンクセクションに対して枢動しうるような態様に、該第２のリンクセクションの第１一体コネクタを受容するための受容部を含み、
第１のリンク形部分の一方の脚部分と、隣接する第２のリンク形部分の脚部分との間に第２一体コネクタが設けられていることを特徴とする一体モジュラーリンクコンベヤベルトセクション。
【請求項１２】
物品又は製品を搬送するためのコンベヤベルトの一部分を形成するために隣接するリンク又はリンクセクションと結合して用いるための一体モジュラーリンクセクションであって、
各々、被搬送物品又は製品に係合することができる、又は、それらを支持するのを助成することができる表面と、１対の脚部分と、該脚部分の間に延設された少くとも１つの第１一体コネクタと、隣接するリンクセクションの一部分をスナップ嵌め係合状態で受容することができる受容部とを有する、側方に反復して設けられた複数のリンク形部分から成り、
第２一体コネクタが、互いに隣接するリンク形部分の前記脚部分の間に延在して物品支持表面の物品支持表面の連続した一部分を画定し、該各リンク形部分の該物品支持表面は、凸面、又は、所定の曲率を有する曲面に形成されていることを特徴とする一体モジュラーリンクセクション。
【請求項１３】
物品又は製品を搬送することができ、ノーズバーのような比較的小さい直径のガイド構造体に沿って走行する無端コンベヤベルトの一部分を形成するのに用いるための一体モジュラーリンクコンベヤベルトセクションであって、
各々側方に反復して設けられた複数のリンク形部分を含む複数のリンクセクションから成り、該各リンクセクションは、被搬送物品又は製品に係合するための、又は、それらを支持するのを助成するための表面と、１対の脚部分と、一体コネクタを有し、
リンクセクションのうちの第１のリンクセクションの各リンク形部分は、隣接する第２のリンクセクションに対して枢動しうるような態様に、第２のリンクセクションの一体コネクタを受容するための受容部を含み、
該各リンク形部分の物品支持表面は、断面でみてほぼ凸面状であることを特徴とする一体モジュラーリンクコンベヤベルトセクション。
【請求項１４】
物品又は製品を搬送するためのコンベヤベルトの一部分を形成するために隣接するリンク又はリンクセクションと結合して用いるための一体モジュラーリンクセクションであって、
各々、被搬送物品又は製品に係合することができる、又は、それらを支持するのを助成することができる表面と、１対の脚部分と、該脚部分の間に延設された少くとも１つの第１一体コネクタと、隣接するリンクの一部分をスナップ嵌め係合状態で受容することができる受容部とを有する側方に反復して設けられた複数のリンク形部分から成り、
第２一体コネクタが、互いに隣接するリンク形部分の脚部分の間に延在して物品支持表面の一部分を画定しており、
各リンク形部分の物品支持表面に少くとも１つの直立したクリートが設けられていることを特徴とする一体モジュラーリンクセクション。
【請求項１５】
物品又は製品を搬送することができる無端コンベヤベルトの一部分を形成するのに用いるための一体モジュラーリンクコンベヤベルトセクションであって、
各々側方に反復して設けられた複数のリンク形部分を含む複数のリンクセクションから成り、該各リンク形部分は、被搬送物品又は製品に係合するための、又は、それらを支持するのを助成するための表面と、１対の脚部分と、一体コネクタを有し、
前記リンクセクションのうちの第１のリンクセクションの各リンク形部分は、隣接する第２のリンクセクションに対して枢動しうるような態様に、第２のリンクセクションの一体コネクタを受容するための受容部を含み、
該各リンク形部分は、ほぼ直立したクリートを有することを特徴とする一体モジュラーリンクコンベヤベルトセクション。
【請求項１６】
物品又は製品を搬送するためのコンベヤベルトの一部分を形成するために隣接するリンク又はリンクセクションと結合して用いるための一体モジュラーリンクセクションであって、
各々、被搬送物品又は製品に係合することができる、又は、それらを支持するのを助成することができる表面と、１対の脚部分と、該脚部分の間に延設された少くとも１つの第１一体コネクタと、隣接するリンクセクションの一部分をスナップ嵌め係合状態で受容することができる受容部と、１対の直立した突片とを有する側方に反復して設けられた複数のリンク形部分から成り、
第２一体コネクタが、互いに隣接するリンク形部分の脚部分の間に延在して物品支持表面の物品支持表面の一部分を画定することを特徴とする一体モジュラーリンクセクション。
【請求項１７】
物品又は製品を搬送することができ、ノーズバーのような比較的小さい直径のガイド構造体に沿って走行する無端コンベヤベルトの一部分を形成するのに用いるための一体モジュラーリンクコンベヤベルトセクションであって、
各々側方に反復して設けられた複数のリンク形部分を含む複数のリンクセクションから成り、該各リンク形部分は、被搬送物品又は製品に係合するための、又は、それらを支持するのを助成するための表面と、１対の脚部分と、一体コネクタと、１対の直立した突片を有し、
前記リンクセクションのうちの第１のリンクセクションの各リンク形部分は、隣接する第２のリンクセクションに対して枢動しうるような態様に、第２のリンクセクションの一体コネクタを受容するための受容部を含むことを特徴とする一体モジュラーリンクコンベヤベルトセクション。
【請求項１８】
物品又は製品を搬送するためのコンベヤベルト又はチェーンの一部分を形成するために隣接する第１及び第２のリンクとスナップ嵌め係合状態に結合して用いるためのリンクであって、
隣接する第１のリンクの一部分をスナップ嵌め係合状態に受容することができる受容部と、隣接する第２のリンクによって受容されるように構成されたコネクタと、被搬送物品又は製品に係合することができる、又は、それらを支持するのを助成することができる表面とを含む本体から成り、該本体の高さ対該リンクのピッチの比は、約１．０であることを特徴とするリンク。
【請求項１９】
物品又は製品を搬送するためのコンベヤベルト又はチェーンの一部分を形成するために隣接する第１及び第２のリンクとスナップ嵌め係合状態に結合して用いるためのリンクであって、
隣接する第１のリンクの一部分をスナップ嵌め係合状態に受容することができる受容部と、隣接する第２のリンクによって受容されるように構成されたコネクタと、被搬送物品又は製品に係合することができる、又は、それらを支持するのを助成することができる表面とを含む本体から成り、該本体の高さ対該リンクのピッチの比は、約０．８より大きいことを特徴とするリンク。
【請求項２０】
互いにスナップ嵌め係合状態に係合するように構成された複数のリンクから成るコンベヤベルト又はチェーンであって、
該各リンクは、隣接する第１のリンクの一部分をスナップ嵌め係合状態に受容することができる受容部と、隣接する第２のリンクによって受容されるように構成されたコネクタと、被搬送物品又は製品に係合することができる、又は、それらを支持するのを助成することができる表面とを含む本体から成り、該本体の高さ対各リンクのピッチの比は、約１．０であることを特徴とするコンベアベルト又はチェーン。